(57)【要約】【課題】ガンマ補正するために必要なメモリ容量の増加を少なく抑えつつ、読取濃度等の調整指示に応じてガンマ補正の特性を柔軟に変更することを可能とするガンマ補正装置及びガンマ補正方法を提供すること。【解決手段】入力画像データの階調値と出力画像データの階調値の対応関係を複数の基本データとして記憶するベースガンマテーブル３１と、指定される微調整レベルごとに、入力画像データの階調値とその微調整階調値の対応関係を複数の微調整データとして記憶する微調整テーブル３２と、基本データＸと指定された微調整レベルについての微調整データＺを読み出して、基本データＸの入力画像データの階調値３１ａと微調整データＺの微調整階調値３２ｃを対応付けて、これをガンマ補正データＧとして設定するガンマ補正装置。【選択図】      図８
2006166353.tif 000002
【特許請求の範囲】
【請求項１】
入力画像データの階調特性をガンマ補正データに従って補正して出力するガンマ補正装置において、入力画像データの階調値と出力画像データの階調値の対応関係を基本データとして記憶する第１記憶手段と、指定される微調整レベルごとに、入力画像データの階調値とその微調整階調値の対応関係を微調整データとして記憶する第２記憶手段と、基本データと指定された微調整レベルについての微調整データを読み出して、基本データの入力画像データの階調値と微調整データの微調整階調値を対応付けて、これを前記ガンマ補正データとして設定する設定手段と、を備えることを特徴とするガンマ補正装置。
【請求項２】
前記基本データは第１記憶手段により複数記憶されており、前記設定手段により読み出され対応付けられるべき１の基本データを複数から選択する選択手段を備えることを特徴とする請求項１記載のガンマ補正装置。
【請求項３】
入力画像データの階調特性をガンマ補正データに従って補正して出力するガンマ補正方法において、入力画像データの階調値と出力画像データの階調値の対応関係を基本データとして記憶する第１記憶手段から基本データを読み出すステップと、指定される微調整レベルごとに、入力画像データの階調値とその微調整階調値の対応関係を微調整データとして記憶する第２記憶手段から微調整データを読み出すステップと、第１記憶手段から読み出した基本データの入力画像データの階調値と第２記憶手段から読み出した微調整データの微調整階調値を対応付けて、これを前記ガンマ補正データとして設定する設定ステップと、を含んでなることを特徴とするガンマ補正方法。
【請求項４】
前記基本データは第１記憶手段により複数記憶されており、選択手段によって、前記設定ステップにおいて読み出され対応付けられるべき１の基本データが複数から選択されるステップを含んでなることを特徴とする請求項３記載のガンマ補正方法。
【発明の詳細な説明】
【技術分野】
【０００１】
本発明は、入力画像データの階調特性を補正するガンマ補正装置及びガンマ補正方法に関し、詳しくは、入力される画像データの階調値と出力する画像データの階調値の対応関係を予め設定しておき、前記対応関係に基づいて入力画像データの階調特性を補正するガンマ補正装置及びガンマ補正方法に関する。
【背景技術】
【０００２】
液晶表示パネルやＣＲＴなどは、通常、入力画像データの階調特性を変換して、使用目的に合わせた出力画像データに補正するガンマ補正装置を備える。一般的にガンマ補正では、非線形な変換処理が行われるため、ガンマ補正テーブルが用いられる。すなわち、入力画像データの階調値はガンマ補正テーブルのアドレスとして扱われ、ガンマ補正テーブル上で入力画像データの階調値に指定される箇所に格納されている値が出力画像データの階調値として出力される。
【０００３】
より繊細なガンマ補正を行ったり、ユーザの多様な使用目的に応えるガンマ補正を行うためには、より多くのデータを格納したガンマ補正テーブルを使用したり、ガンマ補正テーブルの数を増加させる必要がある。しかし、そうすればメモリの容量を増加させなければならない。
【０００４】
なお、メモリの容量を減らす手段として、ガンマ補正関数の一部のみを曲線とし、直線部分との差分のみをメモリに記憶する技術が特許文献１に開示されている。
【特許文献１】特開平１０−３１３４１８号公報
【発明の開示】
【発明が解決しようとする課題】
【０００５】
原稿の画像を読取るスキャナーでもガンマ補正装置は、必須の構成となっている。スキャナーの場合には、解像度や読取濃度の調整度合いに応じてガンマ補正の特性を変更した方が良い結果が得られる。しかし、解像度や読取濃度毎にそれぞれガンマ補正テーブルを持たせると、その分メモリの容量を増加させなければならないという問題がある。また、イメージセンサの感度特性や、光学系の光学特性は、機台ごとに異なるため、さらに微細な調整がガンマ補正に対して要求される。しかし、そのような要求に応じるために、多数のガンマ補正テーブルを持たせると、ガンマ補正テーブルを格納するために必要なメモリの容量を増加させなければならない。
【０００６】
本発明は、かかる問題に鑑みてなされたものであり、ガンマ補正するために必要なメモリ容量の増加を少なく抑えつつ、読取濃度等の調整指示に応じてガンマ補正の特性を柔軟に変更することを可能とするガンマ補正装置及びガンマ補正方法を提供することを目的とする。
【課題を解決するための手段】
【０００７】
上記目的を達成するために、請求項１記載のガンマ補正装置は、入力画像データの階調特性をガンマ補正データに従って補正して出力するガンマ補正装置において、入力画像データの階調値と出力画像データの階調値の対応関係を基本データとして記憶する第１記憶手段と、指定される微調整レベルごとに、入力画像データの階調値とその微調整階調値の対応関係を微調整データとして記憶する第２記憶手段と、基本データと指定された微調整レベルについての微調整データを読み出して、基本データの入力画像データの階調値と微調整データの微調整階調値を対応付けて、これを前記ガンマ補正データとして設定する設定手段と、を備えることを特徴としている。
【０００８】
請求項２記載のガンマ補正装置は、請求項１記載のガンマ補正装置において、前記基本データは第１記憶手段により複数記憶されており、前記設定手段により読み出され対応付けられるべき１の基本データを複数から選択する選択手段を備えることを特徴としている。
【０００９】
請求項３記載のガンマ補正方法は、入力画像データの階調特性をガンマ補正データに従って補正して出力するガンマ補正方法において、入力画像データの階調値と出力画像データの階調値の対応関係を基本データとして記憶する第１記憶手段から基本データを読み出すステップと、指定される微調整レベルごとに、入力画像データの階調値とその微調整階調値の対応関係を微調整データとして記憶する第２記憶手段から微調整データを読み出すステップと、第１記憶手段から読み出した基本データの入力画像データの階調値と第２記憶手段から読み出した微調整データの微調整階調値を対応付けて、これを前記ガンマ補正データとして設定する設定ステップと、を含んでなることを特徴としている。
【００１０】
請求項４記載のガンマ補正方法は、請求項３記載のガンマ補正方法において、前記基本データは第１記憶手段により複数記憶されており、選択手段によって、前記設定ステップにおいて読み出され対応付けられるべき１の基本データが複数から選択されるステップを含んでなることを特徴としている。
【発明の効果】
【００１１】
基本データを記憶する第１記憶手段と比較的ビット数が少ない入力画像データの階調値及び微調整データを記憶する第２記憶手段に必要な記憶容量は、基本データと微調整データから生成されるガンマ補正データの全てを予め記憶するよりも少なくて済む。従って、請求項１に係るガンマ補正装置又は請求項３記載のガンマ補正方法によれば、少ないメモリ容量で、入力画像データの階調特性に対して、より数多くのパターンのガンマ補正を再現でき、また、機台間の読取特性をより柔軟に均一に調整することもできる。
【００１２】
請求項２記載のガンマ補正装置又は請求項４記載のガンマ補正方法のように、基本データが複数ある場合は、メモリ容量の節約効果は、より一層顕著なものとなる。
【発明を実施するための最良の形態】
【００１３】
以下、本発明の実施の形態に係るガンマ補正装置及びガンマ補正方法について、図面に基づき説明する。図１は、入力画像データの階調特性をガンマ補正データに従って補正して出力するガンマ補正装置を備えるファクシミリ複合機１の構成例を示したブロック図である。ファクシミリ複合機１は、図示するように、ＣＰＵ（Central  Processing  Unit）２、ＦｌａｓｈＲＯＭ（Flash  Read  Only  Memory）３、ＲＡＭ（Random  Access  Memory）４、画像メモリ５、Ｂ／Ｗプリント用画像処理回路６、Ｂ／Ｗプリント機構制御回路７、操作部８、ＮＣＵ９、モデム（ＭＯＤＥＭ）１０、画像処理部１１Ａ、１１Ｂ、スキャナ機構制御回路１２、Ｂ／Ｗ用ＣＯＤＥＣ（Coder  and  Decoder）１３、表示部１４、ＵＳＢ（Universal  Serial  Bus）コントローラ１５等を備える。各部２乃至１５は、システムバス１６によって接続されている。
【００１４】
ＣＰＵ２は、このファクシミリ複合機１を構成する各部を制御する。ＦｌａｓｈＲＯＭ３は、ＣＰＵ２によってファクシミリ複合機１の各部が制御されるための制御プログラム、後述するベースガンマテーブル３１、微調整テーブル３２を格納している。ＲＡＭ４は、ＣＰＵ２の主メモリ、ワークエリア等として機能し、各種設定情報を格納している。本実施の形態では不揮発性のものが使用されている。
【００１５】
画像メモリ５は、スキャナで読取られた画像データ、ファクシミリ受信した画像データなどを記憶する。Ｂ／Ｗプリント用画像処理回路６は、プリントすべき画像データに処理を施して、ＬＥＤプリントヘッド１７へ処理後の画像データを供給する。Ｂ／Ｗプリント機構制御回路７は、プリント機構の動作を制御する。
【００１６】
操作部８は、原稿の読取動作の開始を指示するためのスタートキー、ファクシミリ番号やコピー部数等を指示するためのテンキー、各種設定を行うためのカーソルキーなど各種操作キーを備えている。また、操作部８は、ＣＣＤ１９で読取った画像データの濃度調整を選択する濃度選択キー８ａ及び選択された濃度を更に微調整する濃度微調整キー８ｂを備える。
【００１７】
ＮＣＵ９は、電話回線を制御してモデム１０とＰＳＴＮ（公衆交換電話網）１８との接続及び切断をする回線網制御装置である。モデム１０は、例えばＩＴＵ−Ｔ（国際電気通信連合）の勧告Ｖ．３４規格又はこれと同様のものに従った送受信データの変調及び復調を行う。
【００１８】
画像処理部１１は、Ｂ／Ｗ（白黒）画像処理部１１Ａとカラー画像処理部１１Ｂを備える。これら画像処理部１１Ａ、１１ＢはＣＣＤラインイメージセンサ１９と接続されており、ＣＣＤラインイメージセンサ１９で読取った画像データに対してシェーディング補正、ガンマ補正、２値化等の処理を施す。ＣＣＤラインイメージセンサ１９は、シェーディング板や原稿の画像を読取る。
【００１９】
スキャナ機構制御回路１２は、スキャナ内の機構及び白色蛍光灯の点灯消灯などの制御を行う。Ｂ／Ｗ（白黒）用コーデック１３は、プリントすべき画像データやファクシミリ送受信する画像データなどの符号化及び復号を行う。
【００２０】
表示部１４は、各種の設定状態や自装置１の動作状態などを文字や図形などで表示する。表示部１４は、例えば液晶表示装置（ＬＣＤ：Liquid  Crystal  Display）１５、点灯又は消灯で表示するＬＥＤランプ１６などを備えている。ＵＳＢコントローラ１５は、ＵＳＢによるデバイスとの接続を確立するなどの制御を行う。例えばＵＳＢコントローラ１５が装備するＵＳＢポートに接続されたＰＣ（パーソナルコンピュータ）にＲＧＢ多値データを出力する。
【００２１】
ファクシミリ複合機１が、ＣＣＤラインイメージセンサ１９から入力された画像データを処理するＢ／Ｗ画像処理部１１Ａの構成を図２に示す。図２に示すように、Ｂ／Ｗ画像処理部１１Ａは、ＡＦＥ（アナログフロントエンド）２１、Ａ／Ｄ変換器２２、シェーディング補正回路２３、ガンマ補正回路２４、主走査多値解像度変換回路２５、２値化回路２６を備える。
【００２２】
ＡＦＥ２１は、ＣＣＤ１９から出力された画像データをアナログ増幅し、出力する。Ａ／Ｄ変換器２２は、ＡＦＥ２１から出力されたアナログ画像データをデジタル画像データに変換する。シェーディング補正回路２３は、シェーディングデータを格納したシェーディングＲＡＭ２３ａを有しており、このシェーディングデータに基づきＡＦＥ２１から出力される画像データに対してシェーディング補正を行う。
【００２３】
ガンマ補正回路２４は、ガンマ補正時に参照するガンマ補正データを記憶するためのＲＡＭ２４ａを備える。ＣＰＵ２は、ガンマ補正回路２４がガンマ補正を行うまでＲＡＭ２４ａにガンマ補正データを書き込み、ガンマ補正回路２４は、ＲＡＭ２４ａに書き込まれたガンマ補正データに従ってシェーディング補正回路２３から入力される画像データの階調特性を補正する。なお、本発明の実施の形態に係るガンマ補正装置は、このガンマ補正回路２４と、ＲＡＭ２４ａ、ＣＰＵ２、ＲＡＭ４等のリソース、ＦｌａｓｈＲＯＭ３に格納された制御プログラム、ベースガンマテーブル、微調整テーブル等で構成される。
【００２４】
主走査多値解像度変換回路２５は、ガンマ補正回路２４から入力された画像データに対し主走査方向への解像度変換処理を行う。２値化回路２６は、主走査多値解像度変換回路２５から入力された画像データに対し所定のしきい値で２値化する。２値化された画像データはシステムバス１６へ出力される。
【００２５】
以下、ガンマ補正装置が実施するガンマ補正方法について詳細に説明する。
図３にＦｌａｓｈＲＯＭ３に格納されているベースガンマテーブル３１の例を示す。ベースガンマテーブル３１に格納すべき情報は、工場出荷時に記憶され、編集できないようになっている。ベースガンマテーブル３１は、入力画像データの階調値と出力画像データの階調値の対応関係を基本データとして格納している。図に例示するベースガンマテーブル３１は、複数の基本データを格納している。すなわち、入力画像データの階調値３１ａに対して５種類の出力画像データの階調値３１ｂ乃至３１ｆを格納している。これら複数の基本データは、ファクシミリ複合機１における画像読取操作の際に濃度選択キー１８ａにより選択指定される、「濃い」、「やや濃い」、「普通」、「やや薄い」、「薄い」の５種類に夫々対応するものである。なお、基本データの種類は上記５種類より増減してもよい。また、図３では、入力画像データの階調値３１ａのサンプリング数が「０」乃至「３２」の範囲において９段階設定されているが、サンプリング数及びサンプリング範囲はこれより増減してもよい。
【００２６】
図３に示したベースガンマテーブル３１の入力画像データの階調値と出力画像データの階調値の対応関係をグラフに表すと、図４に示すようになる。基本的には、何れの基本データの特性も入力画像データの階調値が増加するにつれて出力画像データの階調値が増加するようになっている。そして、選択指定された基本データの濃度が薄くなるにつれて入力画像データに対する出力画像データの階調値、特に中間階調値付近が高くなるように設定されている。
【００２７】
図５にＦｌａｓｈＲＯＭ３に格納されている微調整テーブル３２の例を示す。微調整テーブル３２に格納された情報は、工場出荷時に記憶されており、編集できないようになっている。微調整テーブル３２は、入力画像データの階調値と該階調値の微調整階調値の対応関係を微調整データとして格納している。また、微調整データは、サービスマンによるメンテナンス又は工場での調整時に選択指定される微調整レベルごとに格納されている。具体的には、入力画像データの階調値３２ａに対して９種類の微調整階調値３２ｂ乃至３２ｊを微調整データとして格納している。微調整レベルは、読取濃度の調整操作の際に、例えば濃度微調整選択キー１８ｂにより選択指定される「−４」、「−３」、「−２」、「−１」、「０」、「１」、「２」、「３」、「４」の夫々に対応するものである。なお、微調整データ（微調整レベル）の種類は上記９種類より増減してもよい。また、図５に例示する微調整テーブル３２では、入力画像データの階調値３２ａのサンプリング数が「０」乃至「３２」の範囲において９段階設定されているが、サンプリング数及びサンプリング範囲はこれより増減してもよい。また、微調整レベルを「文字モード」、「文字写真モード」、「写真モード」の３種類とし、微調整テーブル３２を各モードに適した微調整データが格納されたものとしてもよい。
【００２８】
図５に示した微調整テーブル３２の入力画像データの階調値と微調整階調値の対応関係をグラフに表現すると、図６に示すようになる。基本的には、何れの微調整データも入力画像データの階調値が増加するにつれてその微調整階調値も増加する特性を有する。指定される微調整レベルが高くなるほど（「４」に近いほど）入力画像データに対する微調整階調値、特に入力画像データの中間階調値付近の微調整階調値が低くくなるように設定されている。
【００２９】
つぎに、ガンマ補正装置により実施されるガンマ補正方法の手順について図７に示すフローチャートに基づいて説明する。
【００３０】
原稿を読取って出力するための操作、例えば複写処理、ファクシミリ送信等をするための操作が行われ、さらに、例えばユーザの濃度選択キー８ａの操作により、濃度の選択指定がされると（ステップＳ１：ＹＥＳ）、選択指定された濃度、例えば「濃い」、「やや濃い」等を一時的にＲＡＭ４に設定する。一方、濃度の選択指定がされなかった場合（ステップＳ１：ＮＯ）、デフォルトの設定を採用する。例えば濃度の中間値である「普通」がデフォルトに設定されている場合、これを一時的にＲＡＭ４に設定する（ステップＳ３）。
【００３１】
さらにサービスマン又は工場での読取濃度調整で濃度微調整キー８ｂの操作により、濃度微調整レベルが予め選択されていると（ステップＳ４：ＹＥＳ）、選択指定された微調整レベル、例えば「−４」、「−３」等を一時的にＲＡＭ４に設定する。濃度の微調整レベルが選択指定されていなかった場合（ステップＳ４：ＮＯ）、デフォルトの設定を採用する。例えば微調整レベルの中間値である「０」がデフォルトに設定されている場合、これを一時的にＲＡＭ４に設定する（ステップＳ６）。
【００３２】
なお、上記手順において、ステップＳ１乃至ステップＳ３の処理動作とステップＳ４乃至ステップＳ６の処理動作の実行手順は逆であってもよい。
【００３３】
次いで、ＣＰＵ２は、ステップＳ２又はステップＳ３で設定された濃度に対応する基本データと、ステップＳ５又はステップＳ６で設定された微調整レベルに対応する微調整データをベースガンマテーブル３１と微調整テーブル３２から選択し、ＲＡＭ４から読出す（ステップＳ７）。そして、読み出した基本データの入力画像データの階調値と微調整データの微調整階調値を対応付けてガンマ補正データを生成する。ここで、ガンマ補正データは、入力画像データの階調値と出力画像データの階調値の対応関係を示す。最後に、ＣＰＵ２は、生成したガンマ補正データをガンマ補正回路２４のＲＡＭ２４ａに書き込んでガンマ補正回路２４が使用するガンマ補正データとして設定する（ステップＳ８）。
【００３４】
上記のガンマ補正データの生成手順の具体例を図８に基づいて詳細に説明する。例えば、ステップＳ２又はＳ３で設定された濃度が「やや濃い」、ステップＳ５又はＳ６で設定された微調整レベルが「−３」の場合は、ステップＳ７において、ＣＰＵ２は、「やや濃い」に対応する基本データＸとして、ベースガンマテーブル３１から入力画像データの階調値３１ａと「やや濃い」に対応する出力画像データの階調値３１ｃを選択して読み出す。また、「やや濃い」に対応する微調整データＺとして、微調整テーブル３２から入力画像データの階調値３２ａと階調値レベル「−３」に対応する微調整階調値３２ｃを選択して読み出す。そして、ステップＳ８において、ＣＰＵ２は、基本データＸの入力画像データの各階調値３１ａと一致対応する微調整データＺの各微調整階調値３２ｃに基本データＸの出力画像データの階調値３１ｃを対応付けてガンマ補正データＧを生成する。なお、図８に示すように、この結果として、基本データＸのうち、微調整データＺの微調整階調値３２ｃと一致対応しないデータ要素、例えば、入力画像データの階調値「８」、「２０」、「２８」についての出力階調値「１５１」、「２３０」、「２５５」は、ガンマ補正データＧに含まれないこととなる。
【００３５】
ステップＳ８の後、ガンマ補正回路２４は、ＣＣＤラインイメージセンサ１９で読取られ、ＡＦＥ２１、Ａ／Ｄ変換器２２、シェーディング補正回路２３において夫々処理が施された画像データに対して、設定されたガンマ補正データＧに基づいてガンマ補正を施し、主走査多値解像度変換回路２５へ出力する（ステップＳ９）。つまり、ガンマ補正回路２４は、ガンマ補正データに示される階調値の入出力対応関係に従って、入力された画像データの階調値に対応する階調値の画像データを出力する。例えば、図８に示すガンマ補正データＧが設定されており、画像データの階調値として「４」が入力された場合は、ガンマ補正データＧにおいて入力画像データの階調値「４」に対応付けられている出力画像データの階調値「１１４」が出力される。
【００３６】
なお、上記実施形態の変形例として、Ｓ２、Ｓ３、Ｓ５、Ｓ６で設定した濃度及び微調整レベルを不揮発性メモリ、例えばシステム側のＲＡＭ４に記憶しておき、次回操作時に前回の設定を自動的に引き継ぐようにしてもよい。この場合、生成したガンマ補正データＧも併せてＲＡＭ４に記憶しておき、ステップＳ７、ステップＳ８の手順を実行する代わりにＲＡＭ４に記憶したガンマ補正データＧを読み出して、これをＣＰＵ２によりガンマ補正回路２４のＲＡＭ２４ａに書き込んでガンマ補正回路２４が使用するガンマ補正データとして設定する。これにより、ガンマ補正を行う際の処理動作が迅速になる。
【００３７】
以上説明したガンマ補正装置及びガンマ補正方法によれば、選択指定された濃度及び濃度の微調整レベルに応じてガンマ補正データＧは設定されるので、ガンマ補正するに当たって必要な記憶容量を少なく抑えることが可能となる。従来、濃度設定を５段階、微調整レベル調整レベル設定を９段階で指定できるようにした場合、各濃度ごとに図９に示すようなガンマ補正データを予め記憶するために大きなメモリ容量が必要があった。しかし、本発明に係るガンマ補正装置によれば、そのような大きな記憶容量を必要とせず、図８に示したようなガンマ補正データＧ、ベースガンマテーブル３１及び微調整テーブル３２を記憶するために必要な記憶容量を確保すればよい。
【産業上の利用可能性】
【００３８】
本発明は、入力画像データの階調特性を補正するガンマ補正装置及びガンマ補正方法にに適用可能である。
【図面の簡単な説明】
【００３９】
【図１】本発明の実施の形態に係るガンマ補正装置を備えるファクシミリ複合機の構成を示したブロック図である。
【図２】本発明の実施の形態に係るガンマ補正装置の概略構成例を示したブロック図である。
【図３】ベースガンマテーブルの一例を示した図である。
【図４】ベースガンマテーブルに格納された入力画像データの階調値に対する出力画像データの階調値をグラフ化したものである。横軸は入力画像データの階調値、縦軸は出力画像データの階調値を示す。
【図５】微調整テーブルの一例を示した図である。
【図６】微調整テーブルに格納された入力画像データの階調値に対する微調整階調値をグラフ化したものである。横軸は入力画像データの階調値、縦軸は微調整階調値を示す。
【図７】原稿を読取って出力すべき操作、例えば複写処理をするための操作が行われ、ガンマ補正装置により実施されるガンマ補正方法の手順を示したフローチャートである。
【図８】基本データと微調整データが読み出され、これらが対応付けられてガンマ補正データが生成される手順を示した概念図である。
【図９】従来、微調整レベル調整レベル設定を９段階で指定できるようにした場合、予め記憶する必要があったガンマ補正データの一例を示した図である。
【符号の説明】
【００４０】
Ｇ    ガンマ補正データ
Ｘ    基本データ
Ｚ    微調整データ
２    ＣＰＵ
３    ＦｌａｓｈＲＯＭ
４    ＲＡＭ
８    操作部
８ａ    濃度選択キー
８ｂ    濃度微調整キー
１１    画像処理部
２４    ガンマ補正回路
２４ａ    ＲＡＭ
３１    ベースガンマテーブル
３１ａ    入力画像データの階調値
３１ｂ乃至３１ｆ    出力画像データの階調値
３２    微調整テーブル
３２ａ    入力画像データの階調値
３２ｂ乃至３２ｊ    微調整階調値
【図１】
2006166353.tif 000003
【図２】
2006166353.tif 000004
【図３】
2006166353.tif 000005
【図４】
2006166353.tif 000006
【図５】
2006166353.tif 000007
【図６】
2006166353.tif 000008
【図７】
2006166353.tif 000009
【図８】
2006166353.tif 000010
【図９】
2006166353.tif 000011